(57)【要約】【課題】  複数の点光源と原稿面との間に配置された導光部材の出射面に拡散シートが取り付けられてなる画像読取装置及び画像形成装置において，拡散シートの使用量を必要以上に増やすことなく，拡散シートを容易に取り付けることができ，しかも，導光部材の出射面以外の部分から原稿面に光が照射されて発生する照度分布の斑を防止すること。【解決手段】  導光部材４の第１の出射面４２と，第２の出射面４３とを繋ぐように形成された反射面４４に，一端７ａが第１の出射面４２から突出し，他端７ｂが第２の出射面４３の反射面４４側の端部に位置した状態で反射面４４に板状部材７を取り付け，板状部材７の一端７ａに，一端が当接した状態で第１の拡散シート６１を第１の出射面４２に取り付け，板状部材７の他端７ｂに，一端が当接した状態で第２の拡散シート６２を取り付ける。【選択図】図３
2011199446.tif 000002
【特許請求の範囲】
【請求項１】
主走査方向に沿って所定間隔で配列された複数の点光源からの光が入射される入射面と，該入射面から入射された前記光を原稿面に照射するために出射する少なくとも一の出射面と，前記出射面と所定の角度をなし，該出射面に連続して形成され，入射された前記光を反射させて前記出射面に導く少なくとも一の反射面とを有する導光部材と，
前記出射面に取り付けられ，該出射面の全面を覆って，該出射面から出射される光を主走査方向に拡散させる拡散シートとを備え，
前記複数の点光源から，前記導光部材及び前記拡散シートを介して原稿面に光を照射したときの反射光を検出して原稿画像を読み取る画像読取装置であって，
一端が前記出射面から前記光が出射される方向に突出した状態で前記反射面に取り付けられる板状部材を備え，
該板状部材の前記出射面から突出した部分に一端が当接した状態で，前記拡散シートが前記出射面に取り付けられてなることを特徴とする画像読取装置。
【請求項２】
主走査方向に沿って所定間隔で配列された複数の点光源からの光が入射される入射面と，該入射面から入射された前記光の一部を原稿面に照射するために出射する第１の出射面と，前記第１の出射面と所定の角度をなし，該第１の出射面とは離間して形成され，前記入射面から入射された光の他の一部を出射する第２の出射面と，前記第１の出射面と前記第２の出射面との間に位置し，前記第１の出射面に連続して前記第１の出射面と前記第２の出射面とを繋ぐように形成され，入射された前記光の一部を反射させて前記第１の出射面に導く反射面とを有する導光部材と，
前記第１及び第２の出射面それぞれに取り付けられ，該第１及び第２の出射面の全面を覆って，該第１及び第２の出射面から出射される光を主走査方向に拡散させる第１及び第２の拡散シートとを備え，
前記複数の点光源から，前記導光部材及び前記第１及び第２の拡散シートを介して原稿面に光を照射したときの反射光を検出して原稿画像を読み取る画像読取装置であって，
一端が前記第１の出射面から前記光の一部が出射される方向に突出し，他端が前記第２の出射面の前記反射面側の端部に位置した状態で前記反射面に取り付けられる板状部材を備え，
該板状部材の前記第１の出射面から突出した部分に，一端が当接した状態で前記第１の拡散シートが前記第１の出射面に取り付けられると共に，
前記板状部材の他端に，一端が当接した状態で前記第２の拡散シートが前記第２の出射面に取り付けられてなることを特徴とする画像読取装置。
【請求項３】
前記板状部材の前記第２の出射面側の端部に，前記第２の拡散シートの一端を当接させるための当接部が前記第２の出射面に略垂直に形成されている請求項２に記載の画像読取装置。
【請求項４】
前記板状部材が，光を反射可能な部材である請求項１〜３の何れかに記載の画像読取装置。
【請求項５】
請求項１〜４の何れかに記載の画像読取装置を備える画像形成装置。
【発明の詳細な説明】
【技術分野】
【０００１】
本発明は，所定間隔で配列された複数の点光源を用いて原稿を照射して原稿画像の読み取りを行うように構成されたスキャナ等の画像読取装置及びこのような画像読取装置を備える複写機，ファクシミリ，複合機等の画像形成装置に関するものである。
【背景技術】
【０００２】
従来，スキャナ等の原稿の画像情報を読み取る画像読取装置としては，照明手段からの光を原稿に照射し，原稿からの反射光を結像させて，結像された画像情報をＣＣＤイメージセンサ等の光電変換手段によってデジタル電気信号に変換することにより読み取るものが知られている。
このような画像読取装置において，原稿に光を照射する照明手段としては，一般的にキセノンランプや冷陰極管等が用いられるが，近年，これらに代えて，低価格で寿命が長く且つ高い照度が得られるＬＥＤ（Ｌｉｇｈｔ−Ｅｍｉｔｔｉｎｇ  Ｄｉｏｄｅ）等の点光源を主走査方向に複数個，所定間隔で配列したもの（例えばＬＥＤアレイ基板）も多く採用されてきている。このようなＬＥＤアレイ基板のように複数の点光源（ＬＥＤ）を配列した照明手段を用いた画像読取装置では，例えば特許文献１に示されるように，これら複数のＬＥＤと原稿との間に，透明樹脂やガラス等からなり，ＬＥＤから出射された光を主走査方向に沿って原稿面へ導く導光部材が配置される。導光部材は，その入射面から入射された光を，内部の反射面で反射して，出射面から原稿面に向けて出射する。
こうした複数のＬＥＤを配列した照明手段を用いた画像読取装置で，コンタクトガラス等で構成される原稿台に載置された原稿の画像を読み取る場合，主走査方向に沿って照度分布の斑が生じることがある。特に，いわゆるカール原稿や，ブック原稿等のように原稿台に密着しない部分のある原稿を読み取る場合に，当該原稿の原稿台に密着しない部分において主走査方向にＬＥＤの配列ピッチ間隔で照度が高くなる，いわゆる輝点と呼ばれる照度分布の斑が生じることがある。
そのため，特許文献１では，導光部材の出射面に，ＬＥＤから出射されて放射状に拡散する光を主走査方向に拡散させる拡散シートを接着することが提案され，照度分布の斑の発生を抑制している。
【先行技術文献】
【特許文献】
【０００３】
【特許文献１】特開２００９−２４６４６２号公報
【特許文献２】特開２０１０−２６１７９号公報
【発明の概要】
【発明が解決しようとする課題】
【０００４】
ところで，拡散シートは導光部材の出射面の全面を覆うように配置される。出射面に，拡散シートで覆われておらず導光部材の表面が露出した部分が存在すると，その部分から出射された光によって輝点を生じることがあるからである。
しかし，拡散シートが接着される出射面４６は，例えば図６に示すように主走査方向に横長の略矩形をなしており，出射面４６の主走査方向に直交する方向の幅ＷVは，主走査方向の幅ＷLに比べて極めて小さい（例えば３３０ｍｍ×５ｍｍ程度）。また拡散シートは極めて薄いものである（２５０μｍ程度）。そのため，出射面４６と同じ形状，同じ面積の拡散シートを，導光部材の出射面４６の全面を覆うように接着すること，特に導光部材の主走査方向に沿って，ずらすことなく接着することは困難である。
そのため，拡散シート６は導光部材の出射面４６に対して大きめのもの（図６の２点鎖線）が用いられており，余分な材料が必要であるといった問題があった。特に主走査方向に直交する方向の幅は，例えば主走査方向に直交する方向の幅ＷVが５ｍｍの出射面４６に対して，両方向にの幅ＷE＝０．５ｍｍ程度張り出すような拡散シート６が用いられており，無駄が多かった。
また，導光部材は，その入射面から入射された光が，反射面で反射して，出射面から出射されるように構成されているが，主走査方向に沿って複数個，所定間隔で配列されたＬＥＤの取付精度のバラツキによっては，入射面に入射される光の入射角が変わり，反射面で反射せず反射面を透過する光が存在する虞がある。この反射面で反射せず，反射面を透過した光が原稿面に照射されると，その部分に輝点を発生させる要因となりうる。そのため，拡散シートを出射面に配置するだけでは輝点の発生を防止しきれないといった問題もあった。
ところで近年では，いわゆるエッジ影の影響を抑えるため，特許文献２の発明のように，入射面４１から入射された光の一部を第１の出射面４２に，他の一部を第２の出射面４３にと，ＬＥＤ３１から出射される光を分割して２方向から原稿面に照射する導光部材４（図７参照）が提案されている。
この特許文献２に記載の導光部材４では，上記の問題のうち，拡散シートを導光部材の出射面の全面を覆うように接着することが極めて困難であるといった問題が更に顕著になる。
すなわち，第２の出射面４３の主走査方向に直交する方向の一端には，反射面４４が形成されているため，拡散シート６を第２の出射面４３に対して両方向には大きくすることができず，第２の出射面４３と反射面４４がなす角αは鈍角であるため，拡散シート６の一端を当接させて接着位置の基準とすることもできない。そのため，第２の出射面４３に拡散シート６を導光部材４の主走査方向に沿って，ずらすことなく接着して出射面の全面を覆うことは極めて困難である。
また，特許文献２に記載の導光部材４では，反射面４４の第２の出射面４３側の端部４４１は，第２の出射面４３に連続するか，若しくは断面Ｒ形状の溝状部４５を介して第２に出射面４３に連続するように形成されている。この端部４４１では，複数のＬＥＤの取付精度に関わらず，入射された光が反射せずに透過してしまい，輝点が発生する虞があるといった問題もあった。
従って，本発明は上記事情に鑑みてなされたものであって，主走査方向に配列，実装された複数の点光源と原稿面との間に，複数の点光源からの光を原稿面に導く導光部材が配置され，導光部材の出射面に拡散シートが取り付けられてなる画像読取装置及び，このような画像読取装置を備える画像形成装置において，拡散シートの使用量を必要以上に増やすことなく，拡散シートを容易に取り付けることができ，しかも，導光部材の出射面以外の部分から原稿面に光が照射されて発生する輝点と呼ばれる照度分布の斑を防止することを解決課題とする。
【課題を解決するための手段】
【０００５】
上記課題を解決するために第１の発明は，主走査方向に沿って所定間隔で配列された複数の点光源からの光が入射される入射面と，該入射面から入射された前記光を原稿面に照射するために出射する少なくとも一の出射面と，前記出射面と所定の角度をなし，該出射面に連続して形成され，入射された前記光を反射させて前記出射面に導く少なくとも一の反射面とを有する導光部材と，前記出射面に取り付けられ，該出射面の全面を覆って，該出射面から出射される光を主走査方向に拡散させる拡散シートとを備え，前記複数の点光源から，前記導光部材及び前記拡散シートを介して原稿面に光を照射したときの反射光を検出して原稿画像を読み取る画像読取装置であって，一端が前記出射面から前記光が出射される方向に突出した状態で前記反射面に取り付けられる板状部材を備え，該板状部材の前記出射面から突出した部分に一端が当接した状態で，前記拡散シートが前記出射面に取り付けられてなることを特徴とする画像読取装置として構成される。
この構成によると，板状部材の出射面から突出した部分に拡散シートの一端を当接させることにより，導光部材の主走査方向に沿って，導光部材の出射面の全面を覆うように，拡散シートをずらすことなく容易に取り付けることができる。また，拡散シートの一端が出射面の一端に一致するので，拡散シートは主走査方向に直交する方向に必要以上に大きくする必要がなく，拡散シートの使用量を低減できる。
さらに，板状部材が反射面に取付けられるので，導光部材に入射された光が反射面を透過することがない。そのため，導光部材の出射面以外の部分から原稿面に光が照射されて，輝点が発生することを防止できる。
第２の発明は，主走査方向に沿って所定間隔で配列された複数の点光源からの光が入射される入射面と，該入射面から入射された前記光の一部を原稿面に照射するために出射する第１の出射面と，前記第１の出射面と所定の角度をなし，該第１の出射面とは離間して形成され，前記入射面から入射された光の他の一部を出射する第２の出射面と，前記第１の出射面と前記第２の出射面との間に位置し，前記第１の出射面に連続して前記第１の出射面と前記第２の出射面とを繋ぐように形成され，入射された前記光の一部を反射させて前記第１の出射面に導く反射面とを有する導光部材と，前記第１及び第２の出射面それぞれに取り付けられ，該第１及び第２の出射面の全面を覆って，該第１及び第２の出射面から出射される光を主走査方向に拡散させる第１及び第２の拡散シートとを備え，前記複数の点光源から，前記導光部材及び前記第１及び第２の拡散シートを介して原稿面に光を照射したときの反射光を検出して原稿画像を読み取る画像読取装置であって，一端が前記第１の出射面から前記光の一部が出射される方向に突出し，他端が前記第２の出射面の前記反射面側の端部に位置した状態で前記反射面に取り付けられる板状部材を備え，該板状部材の前記第１の出射面から突出した部分に，一端が当接した状態で前記第１の拡散シートが前記第１の出射面に取り付けられると共に，前記板状部材の他端に，一端が当接した状態で前記第２の拡散シートが前記第２の出射面に取り付けられてなることを特徴とする画像読取装置としても構成される。
特に，前記板状部材の前記第２の出射面側の端部に，前記第２の拡散シートの一端を当接させるための当接部が前記第２の出射面に略垂直に形成されていると，なお好適である。
この構成によると，第１の発明と同様に，板状部材の第１の出射面から突出した一端に第１の拡散シートの一端を当接させることにより，導光部材の主走査方向に沿って，導光部材の第１の出射面全面を覆うように，第１の拡散シートをずらすことなく容易に取り付けることができる。また，第１の拡散シートの一端が第１の出射面の一端に一致するので，第１の拡散シートは主走査方向に直交する方向に必要以上に大きくする必要がなく，第１の拡散シートの使用量を低減できる。
さらに，板状部材が反射面に取り付けられるので，導光部材に入射された光が反射面を透過することがない。そのため，導光部材の出射面以外の部分から原稿面に光が照射されて，輝点が発生することを防止できる。
さらに加えて，第２の出射面の反射面側の端部に位置した板状部材の他端に第２の拡散シートの一端を当接させることにより，導光部材の主走査方向に沿って，導光部材の第２の出射面全面を覆うように，第２の拡散シートをずらすことなく容易に取り付けることができる。特に，板状部材の第２の出射面側の端部に，第２の出射面に略垂直な当接部が形成されていると，第２の拡散シートをより板状部材に当接させやすく，取り付け作業がより容易となる。
第１の発明及び第２の発明において，板状部材が，光を反射可能な部材であることが望ましい。板状部材が光を反射可能な部材であると，複数の点光源から出射され，導光部材に入射された光の光量を，より効率よく第１の出射面に導き，原稿面に照射できる。
なお，本発明は上記したような画像読取装置を備える画像形成装置としても構成される。
【発明の効果】
【０００６】
第１の発明によると，板状部材の出射面から突出した部分に拡散シートの一端を当接させることにより，導光部材の主走査方向に沿って，導光部材の出射面の全面を覆うように，拡散シートをずらすことなく容易に取り付けることができる。また，拡散シートの一端が出射面の一端に一致するので，拡散シートは主走査方向に直交する方向に必要以上に大きくする必要がなく，拡散シートの使用量を低減できる。
さらに板状部材が反射面の全面を覆っているので，導光部材に入射された光が反射面を透過することがない。そのため，導光部材の出射面以外の部分から原稿面に光が照射されて，輝点が発生することを防止できる。
また，第２の発明によると，第１の発明と同様の効果に加えて，第２の出射面の反射面側の端部に位置した板状部材の他端に第２の拡散シートの一端を当接させることにより，導光部材の主走査方向に沿って，導光部材の第２の出射面全面を覆うように，第２の拡散シートをずらすことなく容易に取り付けることができる。特に，板状部材の第２の出射面側の端部に，第２の出射面に略垂直な当接部が形成されていると，第２の拡散シートをより板状部材に当接させやすく，取り付け作業がより容易となる。
【図面の簡単な説明】
【０００７】
【図１】本発明に係る画像読取装置の概略構成を示す模式図。
【図２】本発明に係る複数の点光源の一例を示す斜視図。
【図３】図１のＡ部詳細図。
【図４】本発明に係る導光部材の第１の出射面と拡散シートを示す図で，図３のＢ−Ｂ矢視図。
【図５】本発明の第２実施形態に係る導光部材を主走査方向から見た図。
【図６】従来の導光部材の出射面と拡散シートを示す図。
【図７】従来の導光部材を主走査方向から見た図。
【発明を実施するための形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
まず，図１を用いて本発明に係る画像読取装置の概略を説明する。図１はスキャナＸの内部構造を正面視した模式図である。なお，本発明は，スキャナＸ等の画像読取装置及び，スキャナＸ等の画像読取装置を備える複写機，ファクシミリ及びこれらの複合機等の画像形成装置に適用することができるが，本実施形態では，図１に示すように自動原稿送り装置１を備えたスキャナＸを一例に説明する。
本実施形態に係るスキャナＸは，大別すると，装置本体２と，装置本体２の上方に配置された自動原稿送り装置１（以下，ＡＤＦ１と称す）とにより構成されている。
ＡＤＦ１は，原稿セット部１１にセットされた一以上の原稿Ｍを原稿送りモータ（不図示）で駆動される複数の搬送ローラ対１３により順次搬送して，コンタクトガラス２１上の原稿読取位置２１１を副走査方向に通過するように原稿Ｍを移動させるものである。このＡＤＦ１の内部には，移動する原稿Ｍを押さえるための原稿押さえ１４が原稿読取位置２１１に対応する位置にコンタクトガラス２１に近接して対向配置されている。
装置本体２の上面には原稿台として機能するコンタクトガラス２１が設けられ，正面側側面には，液晶ディスプレイ等の表示部（不図示）やキーボード等の操作キーを有する操作部（不図示）が配設されている。
装置本体２の内部には，原稿Ｍに光を照射する複数のＬＥＤ３１（Ｌｉｇｈｔ  Ｅｍｉｔｔｉｎｇ  Ｄｉｏｄｅ，点光源の一例）が実装されたアレイ基板３や，複数のＬＥＤ３１からの光を原稿Ｍに導く導光部材４等を備えて走行モータ（不図示）により矢印Ｚで示す副走査方向に走行可能な光源ユニット５と，入射した受光量に応じた画像信号を生成するＣＣＤイメージセンサ２４と，複数のＬＥＤ３１から照射され原稿Ｍにて反射された反射光を光学レンズ２５を介してＣＣＤイメージセンサ２４に導くミラー２６〜２８とが適宜配設されている。また，上記各部を統括的に制御する制御部（不図示）が配設されている。なお，導光部材４の出射面には拡散シートが接着されるが，詳細は後記する。
なお，本実施形態において，特に説明がない限り副走査方向とは図１における左右方向（矢印Ｚで示す方向）を意味し，主走査方向とは図１における紙面に直交する方向を意味する（以下の説明において同じ）。
【０００９】
このスキャナＸによる画像情報の読み取りは従来の画像読取装置と特に変わるところはなく，まず，ＡＤＦ１により原稿Ｍを，原稿読取位置２１１に光を照射することができる位置に固定された状態の光源ユニット５に対して副走査方向に搬送するか，コンタクトガラス２１上に載置された原稿Ｍに対して走行モータ（不図示）によって光源ユニット５を副走査方向に走行させると共に，複数のＬＥＤ３１から導光部材４を介して原稿Ｍに光を照射する。つまり，ＡＤＦ１あるいは走行モータ（不図示）を走査駆動手段として機能させて光源ユニット３を原稿Ｍに対して原稿Ｍの副走査方向に相対移動させつつ，複数のＬＥＤ３１から導光部材４を介して原稿Ｍに光を照射して走査する。
そして，原稿Ｍからの反射光がミラー２６〜２８及び光学レンズ２５によりＣＣＤイメージセンサ２４に導かれ，ＣＣＤイメージセンサ２４にて検出された反射光からデジタル画像信号が生成されて読み取られる。
なお，ＣＣＤイメージセンサ２４によるデジタル画像信号の生成及び生成されたデジタル画像信号の処理については，従来の画像読取装置と特に異なるところはなく，また本発明と直接の関係はないので，ここでは説明を省略する。
【００１０】
複数のＬＥＤ３１は，図２に示すように主走査方向に横長のアレイ基板３の一方の面（上面３ａ）に，主走査方向に沿って所定間隔で直線状に配列，実装され，アレイ基板３と一体となっている。複数のＬＥＤ３１は，原稿Ｍに照射するための光を出射する発光面３１１がアレイ基板３に垂直に同一方向（図１，３では左側）へ向けて且つ主走査方向に沿う同一面上に並ぶように配置される。複数のＬＥＤ３１のアレイ基板３への実装方法は，特には限定されるものではないが，例えば接着，溶着等によってなされる。
アレイ基板３は，制御部（不図示）からの制御によって複数のＬＥＤ３１を点灯させるためのパターン回路が形成されたプリント基板である。
【００１１】
導光部材４は，主走査方向に横長の透明部材であり，図３に示すように，副走査方向の一端に複数のＬＥＤ３１から出射された光が入射される入射面４１が，他端に入射面４１から入射された光を原稿Ｍに照射させるために出射する第１及び第２の出射面４２，４３と，入射面４１から入射された光を導光部材４の内部で反射させて第１の出射面４２に導く反射面４４とが形成されている。透明部材としては，ガラス，透明樹脂等が用いられる。
入射面４１と第２の出射面４３とは，互いに平行に形成されており，第１の出射面４２は，入射面４１からの距離が第２の出射面４３より遠方に位置するものであり，入射面４１に対して所定の角度をなして形成される。反射面４４は，第１の出射面４２と第２の出射面４３との間に，第１の出射面４２と連続して，第１の出射面４２と第２の出射面４３とを繋ぐように形成される。
導光部材４は，アレイ基板３の複数のＬＥＤ３１が実装された面，即ち上面３ａに配設され，入射面４１が複数のＬＥＤ３１の発光面３１１に対向し，第１の出射面４２がコンタクトガラス２１（図１）に対向するように配置される。
アレイ基板３と導光部材４とは，複数のＬＥＤ３１の発光面３１１と導光部材４の入射面４１とが平行で，且つ発光面３１１に入射面４１が近接或いは触接した状態で，光源ユニット５を構成するフレーム５１に固定される。
複数のＬＥＤ３１から出射され，入射面４１から導光部材４に入射した光の一部は，反射面４４で反射した後，第１の出射面４２から出射されてコンタクトガラス２１に載置された（又は読取位置２１１を通過する）原稿Ｍに照射されると共に，他の一部は，第２の出射面４３から出射された後，反射板５２（図１参照）で反射して前記原稿Ｍに照射される。
第１の出射面４２から出射される光と，第２の出射面４３から出射され反射板６で反射される光とで２方向から原稿面を照射することにより，ブック原稿や厚みのある原稿の画像を読み取る場合等に，陰影の発生を防止することができる。
【００１２】
導光部材４の第１の出射面４２，第２の出射面４３には，それぞれ第１の拡散シート６１，第２の拡散シート６２（総称する場合は拡散シート６と記す）が，第１の出射面４２，第２の出射面４３それぞれの全面を覆った状態で接着され，取り付けられる。
拡散シート６は，複数のＬＥＤ３１から出射される光を，楕円形状或いは矩形状に拡散させる部材であり，本実施形態では，第１の出射面４２及び第２の出射面４３から出射される光が，導光部材４の主走査方向を長手として拡散されるように配置される。
この第１，第２の拡散シート６１，６２が，それぞれ第１，第２の出射面４２，４３の全面を覆っていることにより，主走査方向にＬＥＤ３１の配列ピッチ間隔で照度が高くなる，いわゆる輝点と呼ばれる照度分布の斑の発生を防止している。
なお，本実施形態では，拡散シート６の取り付け方法は接着としているが，これに限定されるものではなない。
上記説明した構成は，従来の画像読取装置と同様のものである。
【００１３】
本発明に係るスキャナＸでは，図３に示すように導光部材４の反射面４４に反射面４４の全面を覆う板状部材７が接着され，取り付けられている。板状部材７の一端，第１の出射面４２側の端部７ａは，導光部材４に入射された光の一部が第１の出射面４２から出射される方向（反射面４４に沿う方向）に第１の出射面４２から突出しており，板状部材７の他端，第２の出射面４３側の端部７ｂは，第２の出射面４３の反射面４４側の端部４３１に位置している。
また，前記端部７ｂは，第２の出射面４３から出射される光の進行方向に折り曲げられて，第２の出射面４３と略直角な当接部７１を形成している。
第１の拡散シート６１は，板状部材７の第１の出射面４２から突出した端部７ａに一端が当接した状態で，第１の出射面４２に接着され，取り付けられる。即ち，第１の拡散シート６１は，長手方向の端部６１ａを板状部材７の端部７ａに当てることで，端部７ａを基準に密接し，端部７ａ沿って貼り付けられる。
第２の拡散シート６２は，板状部材７の第２の出射面４３側の端部７ｂ，つまり当接部７１に一端が当接した状態で，第２の出射面４３に接着され，取り付けられる。即ち，第２の拡散シート６２は，長手方向の端部６２ａを当接部７１に当てることで，端部７ｂを基準に密接し，端部７ｂに沿って貼り付けられる。
第１，第２の拡散シート６１，６２が当接される板状部材７の端部７ａ，７ｂは，それぞれ第１，第２の出射面４２，４３の一端に沿っているので，拡散シート６が，図４に示すような出射面（図４では第１の出射面４２）の主走査方向に直交する方向の幅ＷVと略同じ幅であっても，拡散シート６を，第１，第２の出射面４２，４３に隙間なく，その全面を覆うように容易に取り付けることができる。その結果，第１，第２の出射面４２，４３から出射される光は全て拡散シート６を通過するので，原稿に輝点のような照射分布の斑が発生することを防止でき，しかも拡散シート６の使用量を，従来のもの（図５）に比べて少なくとも幅ＷE（図７参照）分削減することができる。
さらに板状部材７は，反射面４４の全面をその端部４４１も含め覆っているので，複数のＬＥＤ３１から導光部材４に入射される光が反射面４４を透過して原稿面に照射されることがなく，輝点の発生を防止できる。
なお，第２の出射面４３と反射面４４とは，連続して形成されていてもよいが，第２の出射面４３の反射面４４側の端部４３１と，反射面４４の第２の出射面４３側の端部４４１との間に，断面Ｒ形状の溝状部４５を介して連続するように形成されていても構わない。
当接部７１が形成される板状部材７の端部７ｂを溝状部４５の形状に倣わせて折り曲げるか，溝状部４５の形状を端部７ｂの曲げ形状に合わせて形成すると，板状部材７の取り付けを容易に行うことができる。
板状部材７の材質は特に限定されるものではないが，例えばアルミニウム等の光を反射可能なものであることが好ましい。
板状部材７が光を反射可能な部材であると，複数のＬＥＤ３１から出射され，導光部材４に入射された光のうち，反射面４４を透過しようとする光を反射して第１の出射面４２に導くことができる。その結果，複数のＬＥＤ３１から出射される光の光量を，より効率よく利用できる。
なお，本実施形態では，板状部材７の取り付けは接着としているが，これに限定されるものではない。
【００１４】
上記した実施形態では，出射面が２つの導光部材４を備えるスキャナＸについて説明したが，本発明の他の実施形態として出射面が１つの導光部材８を備えるものについて説明する。なお，上記した実施形態と共通する構成については同一の符号を付し，説明を省略する。
第２実施形態にかかる導光部材８は，主走査方向に横長の透明部材であり，図５に示すように，副走査方向の一端に複数のＬＥＤ３１から出射された光が入射される入射面８１が，他端に入射面８１から入射された光を原稿Ｍに照射させるために出射する出射面８２と，入射面８１から入射された光を導光部材８の内部で反射させて出射面８２に導く反射面８３とが形成されている。透明部材としては，ガラス，透明樹脂等が用いられる。
出射面８２は，入射面８１に対して所定の角度をなして形成される。
反射面８３は，出射面８２と所定の角度をなし，出射面８１と連続して形成される。
導光部材８は，アレイ基板３の複数のＬＥＤ３１が実装された面，即ち上面３ａに配設され，入射面８１が複数のＬＥＤ３１の発光面３１１に対向し，第１の出射面４２がコンタクトガラス２１（図１参照）に対向するように配置される。
アレイ基板３と導光部材８とは，複数のＬＥＤ３１の発光面３１１に導光部材８の入射面８１とが平行で，且つ近接或いは触接した状態で，光源ユニット５を構成するフレーム５１に固定される。
複数のＬＥＤ３１から出射され，入射面８１から導光部材４に入射した光は，反射面８３で反射した後，出射面８２から出射されてコンタクトガラス２１に載置された（又は読取位置２１１を通過する）原稿Ｍに照射される。
導光部材８の出射面８２には，拡散シート６が，出射面８２の全面を覆った状態で接着され，取り付けられる。
【００１５】
導光部材８の反射面８３には，反射面８３の全面を覆う板状部材９が接着され，取り付けられている。板状部材９の一端，出射面８２側の端部９ａは，導光部材８に入射された光が出射面８２から出射される方向（反射面８３に沿う方向）に出射面８２から突出している。
拡散シート６は，板状部材９の出射面８２から突出した端部９ａに一端が当接した状態で，出射面８２に接着され，取り付けられる。即ち，拡散シート６は，長手方向の端部６ａを板状部材９の端部９ａに当てることで，端部９ａを基準に密接し，端部９ａ沿って貼り付けられる。
なお，拡散シート６及び板状部材９の取り付け方法は，接着に限定されものではない。
板状部材９の他端，アレイ基板３側の端部９ｂは，図５では反射面８３のアレイ基板３側の端部８３１よりアレイ基板３側に突出しているが，板状部材９が反射面８３の全面を覆うことができればよく，必ずしも突出している必要はない。例えば，アレイ基板３が反射面８３から副走査方向に突出して配置される場合には，板状部材９の端部９ｂをアレイ基板３の上面３ａに当接させて板状部材９を取り付けるようにしてもよい。
以上説明した実施形態は，出射面が２つ又は１つの導光部材４又は８を備えるものであるが，本発明はこれらに限定されず，出射面が３つ以上の導光部材を備えるものであってもよい。
【００１６】
以上，本発明に係る画像読取装置の一例として，スキャナＸについて説明したが，本発明はこのスキャナＸのような画像読取装置を備える複写機，ファクシミリ及びこれらの複合機等の画像形成装置として構成されたものも含む。
【符号の説明】
【００１７】
２      装置本体
３      アレイ基板
３１    ＬＥＤ（点光源の一例）
４      導光部材
４１    入射面
４２    第１の出射面
４３    第２の出射面
４４    反射面
６      拡散シート
６１    第１の拡散シート
６２    第２の拡散シート
７      板状部材
７１    当接部
８      導光部材
８１    入射面
８２    出射面
８３    反射面
９      板状部材
Ｍ      原稿
Ｘ      スキャナ（画像読取装置の一例）
【図１】
2011199446.tif 000003
【図２】
2011199446.tif 000004
【図３】
2011199446.tif 000005
【図４】
2011199446.tif 000006
【図５】
2011199446.tif 000007
【図６】
2011199446.tif 000008
【図７】
2011199446.tif 000009